(57)【要約】【課題】小型化（特に低背化）への対応が容易に実現可能となるフローティングコネクタを提供する。【解決手段】基板２に固定される第一ハウジング１０と、前記第一ハウジング１０とは別体の第二ハウジング２０とが、並列に配された複数の端子部材３０によって連結されてなり、前記複数の端子部材３０の各々が有する可撓部３１の弾性変形により前記第二ハウジング２０が前記第一ハウジング１０に対して可動するフローティングコネクタ１であって、前記可撓部３１は、薄板バネ３１０によって構成されるとともに、前記薄板バネ３１０が前記複数の端子部材３０の並列方向との直交方向を主たる弾性変形方向とするように配されている。【選択図】図１
2019040799.tif 000002
【特許請求の範囲】
【請求項１】
基板に固定される第一ハウジングと、前記第一ハウジングとは別体の第二ハウジングとが、並列に配された複数の端子部材によって連結されてなり、前記複数の端子部材の各々が有する可撓部の弾性変形により前記第二ハウジングが前記第一ハウジングに対して可動するフローティングコネクタであって、
前記可撓部は、薄板バネによって構成されるとともに、前記薄板バネが前記複数の端子部材の並列方向との直交方向を主たる弾性変形方向とするように配されている
フローティングコネクタ。
【請求項２】
前記可撓部は、前記薄板バネの弾性変形方向が鉛直方向に沿うように配されているとともに、
前記可撓部には、前記第二ハウジングの鉛直方向下方側への傾きを規制するサポート部材が付設されている
請求項１に記載のフローティングコネクタ。
【請求項３】
前記端子部材は、前記可撓部に加えて、前記第一ハウジングに嵌入されて前記基板に固定される基板装着部と、前記第二ハウジングに嵌入されて外部ピンが挿抜される端子接触部と、を有しており、
前記可撓部を構成する前記薄板バネは、前記基板装着部に接続する第一接続部と、前記第一接続部の端から前記基板装着部の側に向けて延伸する第一折り返し部と、前記第一折り返し部の端から前記端子接触部の側に向けて延伸する第二折り返し部と、前記第二折り返し部の端を前記端子接触部に接続する第二接続部と、を有して形成されている
請求項２に記載のフローティングコネクタ。
【請求項４】
前記サポート部材は、前記第二折り返し部の前記基板装着部側の部分を鉛直方向下方側から支持するように配置されている
請求項３に記載のフローティングコネクタ。
【請求項５】
前記薄板バネは、少なくとも前記第一折り返し部および前記第二折り返し部が対称性を有して配置された平面形状を有している
請求項３または４に記載のフローティングコネクタ。
【請求項６】
前記サポート部材は、前記第二折り返し部の対称性に対応しつつ当該第二折り返し部の外縁近傍を支持するように配置されている
請求項５に記載のフローティングコネクタ。
【請求項７】
前記第二折り返し部の対称性に対応しつつ当該第二折り返し部の可動域の上端近傍にて当該第二折り返し部の上面と当接するように配置された可動規制部を有する
請求項５または６に記載のフローティングコネクタ。
【請求項８】
前記端子接触部は、当該端子接触部に挿入された状態の前記外部ピンとの接触範囲が、前記端子部材の並列方向および当該外部ピンの挿抜方向への当該外部ピンの所定量の移動を許容する大きさに設定されている
請求項３から７のいずれか１項に記載のフローティングコネクタ。
【発明の詳細な説明】
【技術分野】
【０００１】
本発明は、フローティングコネクタに関する。
【背景技術】
【０００２】
例えば、嵌合ズレを吸収できるコネクタとして、フローティングコネクタが広く知られている。フローティングコネクタは、基板に固定される固定ハウジングと、その固定ハウジングに対して移動可能な可動ハウジングとが、可撓部を有する複数の端子によって連結されて構成されたものである。従来におけるフローティングコネクタは、複数の端子の多極化への対応を優先して、各端子が並ぶ幅方向（ピッチ方向）に可動するように構成されたものが主流となっている（例えば、特許文献１参照）。
【先行技術文献】
【特許文献】
【０００３】
【特許文献１】特開２０１１−７６７５５号公報
【発明の概要】
【発明が解決しようとする課題】
【０００４】
しかしながら、幅方向（ピッチ方向）の可動では、フローティングコネクタの小型化（特に低背化）が困難である。さらに具体的には、幅方向の可動では、その可動を実現可能にする各端子の可撓部を幅方向に重畳するように配する必要があるため、特に、フローティングコネクタが実装される基板からの突出方向（高さ方向）の低背化が困難である。
【０００５】
そこで、本発明は、従来構造よりも小型化（特に低背化）を容易に実現可能とするフローティングコネクタを提供することを目的とする。
【課題を解決するための手段】
【０００６】
本発明の一態様によれば、
基板に固定される第一ハウジングと、前記第一ハウジングとは別体の第二ハウジングとが、並列に配された複数の端子部材によって連結されてなり、前記複数の端子部材の各々が有する可撓部の弾性変形により前記第二ハウジングが前記第一ハウジングに対して可動するフローティングコネクタであって、
前記可撓部は、薄板バネによって構成されるとともに、前記薄板バネが前記複数の端子部材の並列方向との直交方向を主たる弾性変形方向とするように配されている
フローティングコネクタが提供される。
【発明の効果】
【０００７】
本発明によれば、小型化（特に低背化）が容易に実現可能となる。
【図面の簡単な説明】
【０００８】
【図１】本発明に係るフローティングコネクタの側断面構成の一例を模式的に示す説明図である。
【図２】本発明に係るフローティングコネクタの平面構成の一例を模式的に示す説明図である。
【図３】図１に示すフローティングコネクタのＡ矢視図である。
【図４】図１に示すフローティングコネクタのＢ矢視図である。
【図５】図１に示すフローティングコネクタにおける端子部材の構成例を示す説明図であり、（ａ）は側面視を示す図、（ｂ）は平面視を示す図、（ｃ）は正面視を示す図である。
【図６】本発明に係るフローティングコネクタの使用態様の一具体例の側面視を示す説明図であり、（ａ）はピン挿入前の状態を示す図、（ｂ）はピン挿入後の状態を示す図、（ｃ）は下方側への移動状態を示す図、（ｄ）は上方側への移動状態を示す図である。
【図７】本発明に係るフローティングコネクタの使用態様の一具体例の平面視を示す説明図である。
【図８】薄板バネの主たる弾性変形方向を鉛直方向（上下方向）とした場合に生じ得る傾きの態様の一具体例を模式的に示す説明図である。
【図９】本発明に係るフローティングコネクタにおける薄板バネとサポート部材との位置関係の一具体例を示す説明図であり、（ａ）は平面視を示す図、（ｂ）は薄板バネを真直ぐと仮定した場合を模式的に示す図である。
【図１０】本発明に係るフローティングコネクタの変形例を模式的に示す説明図であり、（a）はその一例を示す図、（ｂ）はさらに他の例を示す図である。
【発明を実施するための形態】
【０００９】
以下、本発明の一実施形態に係るフローティングコネクタについて、図面を参照しながら説明する。
【００１０】
（１）フローティングコネクタの構成
先ず、本実施形態に係るフローティングコネクタの構成について説明する。
図１は、フローティングコネクタの側断面構成の一例を模式的に示す説明図である。図２は、フローティングコネクタの平面構成の一例を模式的に示す説明図である。図３は、図１に示すフローティングコネクタのＡ矢視図である。図４は、図１に示すフローティングコネクタのＢ矢視図である。図５は、図１に示すフローティングコネクタにおける端子部材の構成例を示す説明図である。
【００１１】
（コネクタ全体構成）
図１〜４に示すように、本実施形態で説明するフローティングコネクタ１は、プリント配線基板等の回路基板（以下、単に「基板」という。）２に固定される固定ハウジングとしての第一ハウジング１０と、この第一ハウジング１０とは別体で形成された可動ハウジングとしての第二ハウジング２０と、これらを連結する複数の端子部材３０と、を備えている。そして、詳細を後述するように、複数の端子部材３０の各々が有する可撓部３１が弾性変形することで、第二ハウジング２０が第一ハウジング１０に対して可動し得るように構成されている。つまり、フローティングコネクタ１は、第二ハウジング２０の可動を許容するフローティング機構を搭載したものである。
【００１２】
フローティング機構を搭載するフローティングコネクタ１は、基板２に実装された状態で生じる位置ズレ（嵌合ズレ）を吸収し得るようになっている。具体的には、第二ハウジング２０に対しては、第一ハウジング１０に連結される側とは反対の側から、相手側コネクタの外部ピン３が挿抜されるようになっているが、第二ハウジング２０内への外部ピン３の挿入時に当該第二ハウジング２０が可動することで、フローティングコネクタ１の実装の際（すなわち、第一ハウジング１０を基板２に固定する際）に生じる位置ズレや基板２への実装後に生じる位置ズレ等を吸収し得るのである。
【００１３】
第二ハウジング２０に対して挿抜される外部ピン３としては、様々なものが適用可能であり、特に限定されるものではないが、その一例として、車載用の電池モジュールにおけるシャント抵抗器に用いられる円柱ピン状のものが挙げられる。また、図例では、二つの外部ピン３に対応する場合、すなわちフローティングコネクタ１において二つの端子部材３０が並列に配されている場合を示しているが、これに限定されることはなく、相手側コネクタの外部ピン３に応じて、三つ以上の端子部材３０が配されていてもよい。なお、外部ピン３が並ぶ方向（すなわち、端子部材３０の並列方向）は、水平方向（水平方向と見做せる方向を含む）に沿っているものとする。
【００１４】
また、本実施形態で説明するフローティングコネクタ１には、第二ハウジング２０の動き（特に、鉛直方向下方側への傾き）を規制するサポート部材４０が設けられている。
【００１５】
以下、このようなフローティングコネクタ１の各構成要素について、さらに詳しく説明する。
【００１６】
（第一ハウジング）
第一ハウジング１０は、例えば樹脂等の絶縁材料の一体成型によって形成されたもので、端子部材３０の一部が嵌入される凹部１１を有しており、その凹部１１に嵌入された端子部材３０の一部を基板２上にはんだ付け等で装着することで、その端子部材３０とともに基板２に固定されるように構成されている。
【００１７】
（第二ハウジング）
第二ハウジング２０は、第一ハウジング１０と同様に、例えば樹脂等の絶縁材料の一体成型によって形成されたものである。第二ハウジング２０には、端子部材３０の他の一部が嵌入される係合孔部２１と、その係合孔部２１に連通する開口部２２と、が形成されている。そして、第二ハウジング２０は、係合孔部２１に嵌入された端子部材３０によって支持されるとともに、開口部２２を通じて相手側コネクタの外部ピン３が挿抜され得るように構成されている。なお、係合孔部２１および開口部２２は、端子部材３０に対応した数（例えば二つ）が配されている。また、第二ハウジング２０の形成材料は、後述する理由により、第一ハウジング１０の形成材料と同一であることが好ましい。
【００１８】
（端子部材）
図５に示すように、端子部材３０は、例えば導電性を有する金属板（例えば銅板または銅合金板）への抜き加工および曲げ加工によって形成されたものであり、薄板バネ３１０によって構成されており必要に応じて弾性変形する可撓部３１と、第一ハウジング１０の凹部１１に嵌入されて基板２に装着固定される基板装着部３２と、第二ハウジング２０の係合孔部２１に嵌入される端子接触部３３と、を有している。そして、端子部材３０は、基板装着部３２が第一ハウジング１０の凹部１１に嵌入され、かつ、端子接触部３３が第二ハウジング２０の係合孔部２１に嵌入された状態で、第一ハウジング１０と第二ハウジング２０とを連結するように構成されている。このとき、基板装着部３２と端子接触部３３との間に配された可撓部３１が弾性変形することで、第二ハウジング２０が第一ハウジング１０に対して可動し得ることになる。
【００１９】
可撓部３１を構成する薄板バネ３１０は、板状のものであり、その板厚方向に撓むように弾性変形する。つまり、薄板バネ３１０は、板厚方向を主たる弾性変形方向とする。
また、薄板バネ３１０は、その面内方向（板厚方向と直交する方向）が、複数の端子部材３０が並ぶ並列方向（外部ピン３のピッチ方向）に沿うように、寝かした状態で配されている。
したがって、薄板バネ３１０は、複数の端子部材３０の並列方向との直交方向を、主たる弾性変形方向とするように配されていることになる。端子部材３０の並列方向が水平方向に沿っていれば、薄板バネ３１０の弾性変形方向は、鉛直方向（鉛直方向と見做せる方向を含む）に沿うことになる。
【００２０】
薄板バネ３１０は、基板装着部３２に接続する第一接続部３１１と、第一接続部３１１の端から基板装着部３２の側に向けて延伸する第一折り返し部３１２と、第一折り返し部３１２の端から端子接触部３３の側に向けて延伸する第二折り返し部３１３と、第二折り返し部３１３の端を端子接触部３３に接続する第二接続部３１４とを有しており、第一接続部３１１から第一折り返し部３１２および第二折り返し部３１３を経て第二接続部３１４まで至る連続体として形成されている。また、薄板バネ３１０は、少なくとも第一折り返し部３１２および第二折り返し部３１３が対称性を有して配置された平面形状を有している。具体的には、外部ピン３の挿抜方向に沿った仮想線（すなわち、基板装着部３２の側と端子接触部３３の側とを結ぶ仮想線）を対称軸として、少なくとも第一折り返し部３１２および第二折り返し部３１３が当該対称軸の両側に対称に配されている。
【００２１】
基板装着部３２は、はんだ付け等によって基板２に装着される部分であり、当該装着によって基板２上の配線と導通し得るように構成されている。
【００２２】
端子接触部３３は、相手側コネクタの外部ピン３と接触して当該外部ピン３との導通を確保する部分であり、そのために外部ピン３を挟持するように突設された弾性アーム３３０を有している。ただし、端子接触部３３は、当該端子接触部３３に挿入された状態の外部ピン３と当該端子接触部３３における弾性アーム３３０との接触範囲が、端子部材３０の並列方向および外部ピン３の挿抜方向への当該外部ピン３の所定量の移動を許容する大きさに設定されている。具体的には、弾性アーム３３０の幅が端子部材３０の並列方向（外部ピン３のピッチ方向）への外部ピン３の移動を許容する大きさに設定されているとともに、端子接触部３３の奥行き寸法が外部ピン３の挿抜方向への当該外部ピン３の移動を許容する大きさに設定されている。
【００２３】
（サポート部材）
図１，２，４に示すように、サポート部材４０は、第二ハウジング２０の動き（特に、鉛直方向下方側への傾き）を規制すべく、可撓部３１を構成する薄板バネ３１０の一部分を支持するように、その可撓部３１に付設されたものである。具体的には、サポート部材４０は、例えば樹脂等の絶縁材料によって形成されたもので、可撓部３１を構成する薄板バネ３１０の一部分（例えば、第二折り返し部３１３における基板装着部３２側の部分）を鉛直方向下方側から支持するように、第一ハウジング１０の凹部１１に配置されている。また、サポート部材４０は、第二折り返し部３１３の対称性に対応しつつ、その第二折り返し部３１３の外縁近傍を支持するように配置されている。
【００２４】
サポート部材４０は、薄板バネ３１０の全部ではなく、当該薄板バネ３１０の一部分（例えば、第二折り返し部３１３における基板装着部３２側の部分で、当該第二折り返し部３１３の外縁近傍）を支持するものであるが、これらの具体的な位置関係については、詳細を後述する。
【００２５】
なお、サポート部材４０は、薄板バネ３１０の一部分を支持し得るものであれば、第一ハウジング１０とは別体で形成されたものであってもよいし、第一ハウジング１０と一体で（すなわち第一ハウジング１０の一部として）形成されたものであってもよい。第一ハウジング１０とは別体である場合には、接着等によってサポート部材４０を第一ハウジング１０の凹部１１に固定することが考えられる。
【００２６】
（２）フローティングコネクタの製造手順
ここで、上述した構成のフローティングコネクタ１を製造する際の手順について、簡単に説明する。
【００２７】
上述した構成のフローティングコネクタ１は、第二ハウジング２０が第一ハウジング１０に対して可動し得るようにするために、これらが別体である２ピース構造を採用している。ただし、フローティングコネクタ１を製造にあたっては、製造コストや設備費等を削減するために、第一ハウジング１０と第二ハウジング２０とを一体成型可能な構造とすることが好ましい。
【００２８】
具体的には、先ず、第一ハウジング１０と第二ハウジング２０をジョイント部（ただし不図示）で連結した構造体を一体成形によって形成する。その場合、第一ハウジング１０および第二ハウジング２０は、同一材料によって形成されることになる。そして、一体成形によって得られた構造体に端子部材３０を嵌入して取り付けた後に、第一ハウジング１０と第二ハウジング２０とを連結するジョイント部を除去して、これらを別体のものとすることで、フローティングコネクタ１を組み立てる。
【００２９】
このような手順でフローティングコネクタ１を製造すれば、第一ハウジング１０と第二ハウジング２０を一体で成型可能であり、しかも一体成形された構造体に端子部材３０を取り付けることになるので、別体の場合に比べて取り付け作業の容易化や高精度化等が実現可能となり、その結果として製造コストや設備費等を削減し得るようになる。
【００３０】
（３）フローティングコネクタの使用態様
次に、上述した構成のフローティングコネクタ１を使用する場合の具体的な態様について説明する。
図６は、フローティングコネクタの使用態様の一具体例の側面視を示す説明図である。図７は、フローティングコネクタの使用態様の一具体例の平面視を示す説明図である。
【００３１】
（ピン挿抜）
フローティングコネクタ１には、その使用に際して、図６（ａ）に示すように、第二ハウジング２０の開口部２２を通じて、相手側コネクタの外部ピン３が挿入される（図中矢印Ｃ参照）。外部ピン３が挿入されると、その外部ピン３は、図６（ｂ）に示すように、第二ハウジング２０の係合孔部２１に嵌入された端子部材３０の弾性アーム３３０と接触する。これにより、外部ピン３は、端子部材３０との導通が確保されるとともに、その端子部材３０を通じて基板２上の配線との導通が確保されることになる。
【００３２】
（ハウジング可動）
このとき、例えば、図６（ｃ）に示すように、外部ピン３に上方側からの力が作用すると（図中矢印Ｄ参照）、または嵌合相手である基板２等に下方側からの力が作用すると、これに応じて端子部材３０における可撓部３１を構成する薄板バネ３１０が板厚方向に撓むように弾性変形する。これにより、第二ハウジング２０は、第一ハウジング１０との相対位置が、鉛直方向（上下方向）に沿って下方側に移動する。したがって、上述した力の作用に起因するフローティングコネクタ１と外部ピン３との間の位置ズレは、第二ハウジング２０の可動によって吸収されることになる。
【００３３】
また、例えば、図６（ｄ）に示すように、外部ピン３に下方側からの力が作用すると（図中矢印Ｅ参照）、または嵌合相手である基板２等に上方側からの力が作用すると、これに応じて端子部材３０における可撓部３１を構成する薄板バネ３１０が板厚方向に撓むように弾性変形する。これにより、第二ハウジング２０は、第一ハウジング１０との相対位置が、鉛直方向（上下方向）に沿って上方側に移動する。したがって、上述した力の作用に起因するフローティングコネクタ１と外部ピン３との間の位置ズレは、第二ハウジング２０の可動によって吸収されることになる。
【００３４】
つまり、外部ピン３に関する位置ズレのうち、鉛直方向（上下方向）の位置ズレについては、可撓部３１を構成する薄板バネ３１０の弾性変形によって、その位置ズレが吸収されるのである。
【００３５】
（他の方向の位置ズレ）
また、図７に示すように、他の方向の位置ズレについては、以下のとおりである。
【００３６】
例えば、フローティングコネクタ１と外部ピン３との相対位置について、複数の外部ピン３が並ぶピッチ方向（すなわち、複数の端子部材３０の並列方向）の位置ズレが生じた場合を考える（図中矢印Ｆ参照）。その場合、端子部材３０における弾性アーム３３０の幅が外部ピン３の所定量の移動を許容する大きさに設定されており、これにより外部ピン３と弾性アーム３３０との接触可能領域が広く確保されることから、位置ずれが当該所定量の範囲内であれば、その位置ズレが吸収された状態で外部ピン３と弾性アーム３３０とが接触することになる。つまり、外部ピン３に関する位置ズレのうち、ピッチ方向（左右方向）の位置ズレについては、端子部材３０における弾性アーム３３０の大きさを適宜設定することによって、その位置ズレが吸収されるのである。
【００３７】
また、例えば、フローティングコネクタ１と外部ピン３との相対位置について、外部ピン３の挿抜方向の位置ズレが生じた場合を考える（図中矢印Ｇ参照）。その場合、端子部材３０の端子接触部３３の奥行き寸法が外部ピン３の所定量の移動を許容する大きさに設定されており、これにより円柱ピン状の外部ピン３と弾性アーム３３０との接触可能領域が広く確保されることから、位置ずれが当該所定量の範囲内であれば、その位置ズレが吸収された状態で外部ピン３と弾性アーム３３０とが接触することになる。つまり、外部ピン３に関する位置ズレのうち、挿抜方向（前後方向）の位置ズレについては、円柱ピン状の外部ピン３に対して、その外部ピン３の移動を許容するように（すなわち、当該移動を阻害しないように）、端子接触部３３の奥行き寸法を適宜設定することによって、その位置ズレが吸収されるのである。
【００３８】
（位置ズレ吸収の作用効果）
以上のような使用態様を実現するフローティングコネクタ１は、上下方向、左右方向および前後方向のいずれについても、フローティングコネクタ１と外部ピン３との相対位置の位置ズレを吸収することができる。したがって、例えば、フローティングコネクタ１を基板２上に実装する際に位置ズレが生じた場合や、基板２上への実装後に位置ズレが生じた場合等であっても、その位置ズレが吸収されるので、位置ズレに起因する外部ピン３の変形等が生じてしまうことがなく、また、位置ズレに起因して外部ピン３と基板２上の配線との間の導通が損なわれてしまうこともない。このことは、車載用として用いられる場合に非常に有用なものとなる。車載用の場合は、車両走行時に振動等によって、位置ズレが生じてしまうことが考えられるからである。
【００３９】
（小型化への対応）
上述のように、本実施形態のフローティングコネクタ１は、特に上下方向の位置ズレについて、端子部材３０の可撓部３１を構成する薄板バネ３１０の弾性変形を利用して、その位置ズレを吸収するように構成されている。つまり、可撓部３１を構成する薄板バネ３１０は、端子部材３０の並列方向（すなわち、外部ピン３のピッチ方向）との直交方向（すなわち、上下方向）を主たる弾性変形方向とするように配されている。このように、ピッチ方向との直交方向である上下方向を薄板バネ３１０の主たる弾性変形方向とすれば、その薄板バネ３１０によって構成される可撓部３１は、薄板バネ３１０の面内方向がピッチ方向に沿うように寝かした状態で配されることなる。したがって、可撓部３１の弾性変形方向がピッチ方向である場合（すなわち、例えば薄板バネ３１０がピッチ方向に重畳するように構成された場合）に比べると、上下方向への小型化（すなわち、フローティングコネクタ１が実装される基板２から突出する高さ方向の低背化）が容易に実現可能となる。
【００４０】
しかも、本実施形態のフローティングコネクタ１においては、可撓部３１を構成する薄板バネ３１０が第一接続部３１１、第一折り返し部３１２、第二折り返し部３１３および第二接続部３１４を有して形成されている。このように、薄板バネ３１０が少なくとも第一折り返し部３１２および第二折り返し部３１３を有して形成されていることで、当該薄板バネ３１０の前後方向（すなわち、端子部材３０の並列方向および可撓部３１の弾性変形方向のいずれとも直交する方向）の大型化を招いてしまうことなく、当該薄板バネ３１０を構成する連続体の有効スパン（すなわち、有効ばね長）を十分に確保することができる。つまり、本実施形態のフローティングコネクタ１は、薄板バネ３１０が少なくとも第一折り返し部３１２および第二折り返し部３１３を有して形成されているので、可撓部３１による可動域が損なわれることなく、上述した上下方向への小型化（低背化）のみならず、前後方向についても小型化が実現可能となる。
なお、前後方向の小型化という観点においては、第一接続部３１１と第二接続部３１４とを近づけて配するように、薄板バネ３１０を形成することが好ましい。また、有効スパンの確保（すなわち、可撓部３１の可動域確保）という観点においては、第一折り返し部３１２および第二折り返し部３１３の延伸長を長くするように、薄板バネ３１０を形成することが好ましい。
【００４１】
（第二ハウジングの傾き抑制）
ところで、本実施形態のフローティングコネクタ１は、上述したように、薄板バネ３１０の面内方向がピッチ方向に沿うように寝かした状態で配することで、小型化（特に低背化）への対応を容易に実現可能としている。
ただし、薄板バネ３１０を寝かした状態で配して鉛直方向（上下方向）を主たる弾性変形方向とした場合には、図８に示すように、その変形端の側に位置することになる第二ハウジング２０と端子部材３０の端子接触部３３との重量により、第二ハウジング２０等が下方側に倒れるように傾いてしまうおそれがある（図中矢印Ｈ参照）。
このことから、本実施形態のフローティングコネクタ１においては、第二ハウジング２０の動き（特に、鉛直方向下方側への傾き）を規制すべく、薄板バネ３１０の一部分を支持するサポート部材４０が設けられているのである。
【００４２】
サポート部材４０は、その上面が薄板バネ３１０の一部分（例えば、第二折り返し部３１３における基板装着部３２側の部分）の下面側と当接するように配されており、これにより薄板バネ３１０の一部分を鉛直方向下方側から支持する。したがって、図６（ａ）に示すように、第二ハウジング２０に外部ピン３が挿入されていない状態においては、サポート部材４０が薄板バネ３１０の一部分を支持することで、第二ハウジング２０の鉛直方向下方側への傾きが規制されることになる。つまり、薄板バネ３１０の弾性変形方向が鉛直方向に沿う場合であっても、サポート部材４０を配設することで、第二ハウジング２０が鉛直方向下方側（すなわち重力が作用する方向）に傾いてしまうのを抑制することができる。このことは、フローティングコネクタ１を使用する際に、第二ハウジング２０に対して外部ピン３を確実に嵌合させ得るようになる点で、非常に有用である。
【００４３】
しかも、サポート部材４０は、薄板バネ３１０の全部ではなく、その薄板バネ３１０の一部分を、鉛直方向下方側から支持するように配されている。したがって、その薄板バネ３１０によって構成される可撓部３１は、鉛直方向下方側および鉛直方向上方側のいずれについても、可動域が損なわれてしまうことがない。
【００４４】
ここで、薄板バネ３１０とその薄板バネ３１０の一部分を支持するサポート部材４０との具体的な位置関係について、詳しく説明する。
図９は、フローティングコネクタにおける薄板バネとサポート部材との位置関係の一具体例を示す説明図である。
【００４５】
図９（ａ）に示すように、薄板バネ３１０は、第一接続部３１１から第一折り返し部３１２および第二折り返し部３１３を経て第二接続部３１４まで至る連続体として形成されており、第一ハウジング１０の側における固定端である固定部３２１と第二ハウジング２０の側における固定端である固定部３３１との間の長さが、その連続体の有効スパン（すなわち、有効ばね長）となる。このような薄板バネ３１０に対して、サポート部材４０は、各固定部３２１，３３１の間の有効スパンの中間点付近に配されていることが好ましい。つまり、図９（ｂ）に示すように、薄板バネ３１０を構成する連続体が真直ぐに延伸していると仮定した場合に、サポート部材４０は、その真直ぐに延伸する両端固定バネの有効スパンの中間点付近に位置していることが好ましい。このような位置関係を有していれば、サポート部材４０を配した場合であっても、薄板バネ３１０を構成する連続体のバネ性をバランスよく有効に使えるためである。
【００４６】
具体的には、上述した位置関係を具現化しようとすると、サポート部材４０は、少なくとも第一折り返し部３１２および第二折り返し部３１３を有する薄板バネ３１０に対して、例えば、第二折り返し部３１３の全体ではなく、その第二折り返し部３１３における基板装着部３２側の部分を、鉛直方向下方側から支持するように配されることになるサポート部材４０による支持面の大きさ（すなわち、薄板バネ３１０とサポート部材４０とが接触する部分の面積、または、当該部分についての有効スパン方向の長さ）については、薄板バネ３１０を支持し得るものであれば、特に限定されることはなく、バネ性のバランス等を考慮して適宜設定されたものであればよい。
【００４７】
なお、図９（ｂ）には、サポート部材４０に加えて後述する可動規制部４１も併せて図示しているが、その可動規制部４１についても薄板バネ３１０に対して同様の位置関係を有していることが好ましい。例えば、サポート部材４０と可動規制部４１とが薄板バネ３１０を挟むように配されている場合であっても、これらを両端固定バネの有効スパンの中間点付近に位置させることで、薄板バネ３１０のバネ性をバランスよく有効に使えるからである。
【００４８】
このような位置関係により、例えば、図６（ｃ）に示すように、第一ハウジング１０に対して第二ハウジング２０が下方側へ移動する方向の力が作用すると、薄板バネ３１０は、サポート部材４０の一端縁を支点にして、第二折り返し部３１３における第二接続部３１４との接続端側が下方に移動し（図中矢印ｄ１参照）、当該第二折り返し部３１３における第一接続部３１１との接続端側が上方に移動する（図中矢印ｄ２参照）。したがって、鉛直方向下方側への可動域が損なわれてしまうことがない。
【００４９】
また、例えば、図６（ｄ）に示すように、第一ハウジング１０に対して第二ハウジング２０が上方側へ移動する方向の力が作用すると、薄板バネ３１０は、第一ハウジング１０側の固定端を支点にして、または第二折り返し部３１３における第一接続部３１１との接続端側を支点にして、当該第二折り返し部３１３における第二接続部３１４との接続端側が上方に移動する（図中矢印ｅ１参照）。したがって、鉛直方向上方側への可動域が損なわれてしまうことがない。
【００５０】
つまり、第二ハウジング２０の重力による鉛直方向下方側への傾きを抑制する場合であっても、第二折り返し部３１３に対して上述の位置関係を有するようにサポート部材４０を配することで、鉛直方向上方側および鉛直方向下方側のいずれについても、可撓部３１の可動域が損なわれてしまうのを回避することができる。その上、第一折り返し部３１２および第二折り返し部３１３を有する薄板バネ３１０に対して、上述の位置関係を有するようにサポート部材４０を配することで、可撓部３１の前後方向についての小型化を実現可能にしつつ、その可撓部３１の可動域を十分に確保し得るようにもなる。
【００５１】
（第二ハウジングのねじれ抑制）
本実施形態のフローティングコネクタ１において、薄板バネ３１０は、上述したように、少なくとも第一折り返し部３１２および第二折り返し部３１３が対称性を有して配置された平面形状を有している。したがって、薄板バネ３１０が鉛直方向上方側または鉛直方向下方側に弾性変形する際には、第一折り返し部３１２および第二折り返し部３１３のそれぞれが対称軸の両側で略均等に撓むことになる。このように、第一折り返し部３１２および第二折り返し部３１３が対称軸の両側で略均等に撓めば、薄板バネ３１０が弾性変形する際のねじれの発生を抑制できる。このことは、第二ハウジング２０のねじれの抑制に繋がるので、フローティングコネクタ１を使用する際に、第二ハウジング２０に対して外部ピン３を確実に嵌合させ得るようになる点で、非常に有用である。
【００５２】
しかも、薄板バネ３１０の第二折り返し部３１３を鉛直方向下方側から支持するサポート部材４０は、その第二折り返し部３１３の対称性に対応しつつ、その第二折り返し部３１３の外縁近傍を支持するように配置されている。つまり、サポート部材４０についても、対称軸の両側のそれぞれに配されており、それぞれのサポート部材４０が第二折り返し部３１３の外縁近傍を支持するようになっている。したがって、サポート部材４０は、薄板バネ３１０を下方側から支持して第二ハウジング２０の傾きを抑制し得るだけではなく、その薄板バネ３１０を支持する際の当該薄板バネ３１０のねじれについても、その発生を抑制することができる。このことも、第二ハウジング２０のねじれの抑制に繋がるので、フローティングコネクタ１を使用する際に、第二ハウジング２０に対して外部ピン３を確実に嵌合させ得るようになる点で、非常に有用である。
【００５３】
（４）本実施形態により得られる効果
本実施形態によれば、以下に示す一つまたは複数の効果が得られる。
【００５４】
（ａ）本実施形態のフローティングコネクタ１は、端子部材３０の可撓部３１が弾性変形することで、外部ピン３との相対位置の位置ズレを吸収し得るように構成されているので、位置ズレに起因する外部ピン３の変形や導通不良等が生じてしまうことがなく、特に車載用として用いて非常に有用なものとなる。
しかも、本実施形態のフローティングコネクタ１では、位置ズレの吸収に寄与する端子部材３０の可撓部３１が薄板バネ３１０によって構成されるとともに、その薄板バネ３１０が端子部材３０の並列方向（すなわち、外部ピン３のピッチ方向）との直交方向（すなわち、上下方向）を主たる弾性変形方向とするように配されている。このように、ピッチ方向との直交方向を薄板バネ３１０の主たる弾性変形方向とすれば、その薄板バネ３１０によって構成される可撓部３１は、薄板バネ３１０の面内方向がピッチ方向に沿うように寝かした状態で配されることなる。したがって、可撓部３１の弾性変形方向がピッチ方向である場合（すなわち、例えば薄板バネ３１０がピッチ方向に重畳するように構成された場合）に比べると、上下方向への小型化（すなわち、フローティングコネクタ１が実装される基板２から突出する高さ方向の低背化）が容易に実現可能となる。
つまり、本実施形態によれば、位置ズレを吸収し得るように構成されたフローティングコネクタ１において、従来構造よりも小型化（特に低背化）を容易に実現することが可能である。
【００５５】
（ｂ）本実施形態のフローティングコネクタ１では、第二ハウジング２０の動き（特に、鉛直方向下方側への傾き）を規制すべく、薄板バネ３１０の一部分を支持するサポート部材４０が設けられている。したがって、薄板バネ３１０の弾性変形方向が鉛直方向に沿う場合であっても、サポート部材４０が支持することで、第二ハウジング２０が鉛直方向下方側（すなわち重力が作用する方向）に傾いてしまうのを抑制することができる。つまり、本実施形態によれば、第二ハウジング２０に外部ピン３が挿入されていない状態での当該第二ハウジング２０の傾きを抑制することで、フローティングコネクタ１を使用する際に、第二ハウジング２０に対して外部ピン３を確実に嵌合させ得るようになり、コネクタとしての信頼性や利便性等を十分に高められる。
【００５６】
（ｃ）本実施形態のフローティングコネクタ１では、可撓部３１を構成する薄板バネ３１０が、第一接続部３１１、第一折り返し部３１２、第二折り返し部３１３および第二接続部３１４を有して形成されている。このように、薄板バネ３１０が少なくとも第一折り返し部３１２および第二折り返し部３１３を有して形成されていることで、当該薄板バネ３１０の前後方向の大型化を招いてしまうことなく、当該薄板バネ３１０を構成する連続体の有効スパン（すなわち、有効ばね長）を十分に確保することができる。つまり、本実施形態のフローティングコネクタ１によれば、可撓部３１による可動域が損なわれることなく、上述した低背化のみならず、前後方向についても小型化が実現可能となる。
【００５７】
（ｄ）本実施形態のフローティングコネクタ１において、第二ハウジング２０の動きを規制するためのサポート部材４０は、薄板バネ３１０の全部ではなく、その薄板バネ３１０における第二折り返し部３１３の一部分を鉛直方向下方側から支持するように配置されている。したがって、薄板バネ３１０によって構成される可撓部３１は、鉛直方向下方側および鉛直方向上方側のいずれについても、可動域が損なわれてしまうことがない。つまり、本実施形態によれば、鉛直方向上方側および鉛直方向下方側のいずれについても可撓部３１の可動域が損なわれてしまうのを回避しつつ、第二ハウジング２０の重力による鉛直方向下方側への傾きを確実に抑制することができる。
【００５８】
（ｅ）本実施形態のフローティングコネクタ１では、薄板バネ３１０が対称性を有する平面形状に形成されており、また、その対称性に対応するように（すなわち、同様の対称性を有するように）サポート部材４０が配置されている。したがって、本実施形態によれば、可撓部３１のねじれについても、その発生を抑制することができる。このように、傾きのみならず、ねじれについても抑制すれば、フローティングコネクタ１を使用する際に、第二ハウジング２０に対して外部ピン３を確実に嵌合させ得るようになり、コネクタとしての信頼性や利便性等をより一層高められる。
【００５９】
（ｆ）本実施形態のフローティングコネクタ１では、端子部材３０における弾性アーム３３０の幅が外部ピン３の所定量の移動を許容する大きさに設定されており、これにより外部ピン３と弾性アーム３３０との接触可能領域が広く確保されている。さらには、端子部材３０の端子接触部３３の奥行き寸法が外部ピン３の所定量の移動を許容する大きさに設定されており、これにより円柱ピン状の外部ピン３と弾性アーム３３０との接触可能領域が広く確保されている。したがって、本実施形態によれば、可撓部３１を構成する薄板バネ３１０の弾性変形による鉛直方向のみならず、端子部材３０並列方向（ピッチ方向）および外部ピン３の挿抜方向（前後方向）についても、フローティングコネクタ１と外部ピン３との相対位置の位置ズレを吸収することができ、その位置ズレに起因する外部ピン３の変形や導通不良等が生じてしまうことがない。
【００６０】
（５）変形例等
以上、本発明の一実施形態を具体的に説明したが、本発明は上述の実施形態に限定されるものではなく、その要旨を逸脱しない範囲で適宜変更可能である。
【００６１】
図１０は、フローティングコネクタの変形例を模式的に示す説明図である。
【００６２】
（上方側への動きの規制）
上述の実施形態では、サポート部材４０が第二ハウジング２０の鉛直方向下方側への傾きを規制する場合を例に挙げて説明したが、これに限定されることはなく、例えば、鉛直方向下方側に加えて鉛直方向上方側への動きを規制するように構成されたものであってもよい。具体的には、図１０（ａ）に示すように、フローティングコネクタ１ａは、薄板バネ３１０における第二折り返し部３１３の対称性に対応しつつ、当該第二折り返し部３１３の可動域の上端近傍にて、当該第二折り返し部３１３の上面と当接するように配置された可動規制部４１を有するものであってもよい。
【００６３】
かかる構成のフローティングコネクタ１ａでは、可動規制部４１を有することで、第二折り返し部３１３の上方側への可動域が規制されるので、第二ハウジング２０の上方側への動き過ぎが抑制され、上方側への移動時における薄板バネ３１０の変形量が過大になってしまうことがない。しかも、可動規制部４１は、第二折り返し部３１３の対称性に対応しているので（すなわち、同様の対称性を有しているので）、第二ハウジング２０が上方側に向けて移動した際にもねじれの発生を未然に防止することができる。したがって、かかる構成のフローティングコネクタ１ａによれば、当該フローティングコネクタ１ａを使用する際に、第二ハウジング２０に対して外部ピン３を確実に嵌合させる上で非常に有用なものとなり、コネクタとしての信頼性や利便性等をより一層高められる。
【００６４】
なお、図１０（ａ）に示した例では、サポート部材４０および可動規制部４１が第一ハウジング１０と一体で（すなわち第一ハウジング１０の一部として）形成されている場合を示しているが、これに限定されることはなく、第一ハウジング１０とは別体で形成されたものであってもよい。
【００６５】
（使用時の配置方向）
上述の実施形態では、基板２の上面にフローティングコネクタ１が実装され、可撓部３１を構成する薄板バネ３１０が鉛直方向に沿って弾性変形する場合を例に挙げて説明したが、必ずしもこれに限定されることはない。
【００６６】
すなわち、フローティングコネクタ１は、どのような方向に配置された場合（例えば、薄板バネ３１０の弾性変形方向が鉛直方向以外の方向に沿う場合）であっても、相手側コネクタの外部ピン３を挿入して使用することが可能である。かかる場合においても、フローティングコネクタ１は、薄板バネ３１０が外部ピン３のピッチ方向との直交方向を主たる弾性変形方向とするように配されていれば、基板２から突出方向についての小型化が容易に実現可能となる。
【００６７】
また、薄板バネ３１０の弾性変形方向が鉛直方向に沿う場合については、必ずしも基板２の上面に実装されている必要はなく、例えば、図１０（ｂ）に示すように、基板２の下面にフローティングコネクタ１ｂが実装されていてもよい。かかる場合には、薄板バネ３１０の一部分を支持するサポート部材４０が、基板２と当該薄板バネ３１０との間ではなく、当該薄板バネ３１０よりも第二ハウジング２０の側に位置することになる。
【００６８】
なお、図１０（ｂ）に示した例においても、サポート部材４０が第一ハウジング１０と一体で（すなわち第一ハウジング１０の一部として）形成されている場合を示しているが、これに限定されることはなく、第一ハウジング１０とは別体で形成されたものであってもよい。
【００６９】
（その他の変形例）
上述の実施形態では、相手側コネクタの外部ピン３の一例として、車載用の電池モジュールにおけるシャント抵抗器に用いられるものを挙げたが、本発明がこれに限定されることはなく、様々な電子機器が接続相手となる場合であっても、全く同様に本発明を適用することが可能である。
【符号の説明】
【００７０】
１，１ａ，１ｂ…フローティングコネクタ、２…回路基板（基板）、３…外部ピン、１０…第一ハウジング、２０…第二ハウジング、３０…端子部材、３１…可撓部、３２…基板装着部、３３…端子接触部、４０…サポート部材、４１…可動規制部、３１０…薄板バネ、３１１…第一接続部、３１２…第一折り返し部、３１３…第二折り返し部、３１４…第二接続部
【図１】
2019040799.tif 000003
【図２】
2019040799.tif 000004
【図３】
2019040799.tif 000005
【図４】
2019040799.tif 000006
【図５】
2019040799.tif 000007
【図６】
2019040799.tif 000008
【図７】
2019040799.tif 000009
【図８】
2019040799.tif 000010
【図９】
2019040799.tif 000011
【図１０】
2019040799.tif 000012